(57)【特許請求の範囲】
【請求項１】
音声信号と映像信号の再生レベルを検出するレベル検出部と、
テープ位置を検出するテープ位置検出部と、
表示部と、
前記レベル検出部のレベル検出情報と、前記テープ位置検出部のテープ位置検出情報より前記表示部に表示する制御部とを有し、
前記制御部は、再生時にテープ上の映像信号又は音声信号が記録されている場合は、前記表示部に音声のレベル表示をおこない、映像信号と音声信号が共に記録されていない場合は、前記表示部にテープの位置表示をおこなうことを特徴とする映像記録再生装置。
【請求項２】
前記表示部でのテープ位置表示は、セグメント配列を利用し、１％単位で表示する請求項１記載の映像記録再生装置。
【発明の詳細な説明】
【０００１】
【発明の属する技術分野】
本発明は、例えば２つのデジタルフォーマットのビデオテープレコーダと２つの映像モニタとを有し、映像編集機能を内蔵したラップトップ型の映像記録再生装置に関する。
【０００２】
【従来の技術】
業務用、放送用の映像記録再生装置においては、１台のデッキを内蔵した映像記録再生装置を２台用意し、この２台をコントロールするコントローラー及び、映像、音声信号を表示するモニタ装置２台で編集をおこなっていた。
【０００３】
従来の映像記録再生装置の機能としては、２台のデッキを同時録画できることや、２台のデッキを利用してダビングすることや、１台のデッキで再生しながら他方のデッキで編集するといったものがある。
【０００４】
業務用、放送用においては、映像信号自体に高性能が要求されるため、記憶すべき情報量が増えることや、映像記録再生装置に要求される性能及び機能が、高度化するため、回路規模も大きくなり、映像記録再生装置が大きくなるため、２台のデッキを内蔵することは、主流とはなっていなかった。
【０００５】
しかし、映像信号の圧縮技術の発達で、業務用、放送用レベルの高品位な映像信号を、少ない情報量で記録できるようになってきた。
【０００６】
その一例として、デジタルビデオの規格であるＤＶフォーマットがあり、業界の放送機器の展示会でその概要が明らかにされている。
【０００７】
つぎに、従来の映像記録再生装置の構造について図３の概略図を参照して説明する。
【０００８】
この映像記録再生装置は、ベース部３１とこのベース部３１に対して起立・倒伏自在に設けられた蓋体３２とで一つのラップトップ型の筐体３０を構成している。ラップトップ型の筐体３０におけるベース部３１は、手前側低段部３１Ａと奥側高段部３１Ｂの二段構造となっている。
【０００９】
上記ラップトップ型の筐体３０のベース部３１における奥側高段部３１Ｂには、独立して記録再生可能な第１および第２のビデオテープレコーダ４０、４１を左右に並べて内蔵し、第１および第２のビデオテープレコーダ４０、４１のローディング開口（符号４０、４１はローディング開口の部分を指している）を奥側高段部３１Ｂの前端面に並べて設けている。また、ベース部３１内には、第１および第２のビデオテープレコーダ４０、４１の相互間で映像・音声信号の編集を行うための編集手段（図示せず）が内蔵されている。そして、筐体３０のベース部３１における手前側低段部３１Ａの上面において、第１および第２のビデオテープレコダ４０、４１の操作部３３、３４を第１および第２のビデオテープレコーダ４０、４１の配置と同じように左右に並べて設け、手前側低段部３１Ａの上面において、操作部３３、３４の間に編集手段（図示せず）の操作部３５を設けている。
【００１０】
なお、編集時においては、左側の第１のビデオテープレコーダ４０をオリジナルのデジタルカセットの再生用に使用し、右側の第２のビデオテープレコーダ４１をマスターのデジタルカセットの記録用に使用し、編集手段は第１および第２のビデオテープレコーダ４０、４１を使用することを前提として回路構成されている。また、第１および第２のビデオテープレコーダ４０、４１の記録および再生機能については、全く同じように構成されていて、２系統のライン入力の映像、音声信号を独立に記録することができ、２つのデジタルカセットに記録された映像、音声信号を独立に再生して、ライン出力として２系統で出力することができるようにしている。
【００１１】
一方、筐体３０における蓋体３２は、本体部３２Ａの両側に一対の脚部３２Ｂ、３２Ｃを有する構造であり、蓋体３２がベース部３１に対して前後方向に回動して、起立状態では蓋体３２の本体部３２Ａがベース部３１の奥側高段部３１Ｂ上に位置し、倒伏状態では本体部３２Ａが手前側低段部３１Ａにちょうど重なるように奥側高段部３１Ｂを左右両側から蓋体３２の一対の脚部３２Ｂ、３２Ｃで挟んだ状態で奥側高段部３１Ｂと蓋体３２の一対の脚部３２Ｂ、３２Ｃとをヒンジ結合している。
【００１２】
蓋体３２の本体部３２Ａにおいて、倒伏状態でベース部３１の手前側低段部３１Ａに対向する面、つまり起立状態で正面を向く面に、第１および第２のビデオテープレコーダ４０、４１の再生映像出力を個別に表示するカラー液晶パネルからなる第１および第２の映像モニタ３６、３７を同じ方向に向けて設けている。
【００１３】
また、本体部３２Ａにおける第１の映像モニタ３６の周辺部分には、第１のビデオテープレコーダ４０に付随する動作モードやカウンター値等の編集関連情報を表示する例えば蛍光表示管からなる第１の表示手段３８が、第１および第２の映像モニタ３６、３７と同じ方向に向けて一体的に設けられている。
【００１４】
同様にして本体部３２Ａにおける第２の映像モニタ３７の周辺部分には、第２のビデオテープレコーダ４１に付随する動作モードやカウンター値等の編集関連情報を表示する例えば蛍光表示管からなる第２の表示手段３９が第１および第２の映像モニタ３６、３７と同じ方向に向けて一体的に設けられている。なお、第１および第２の表示手段３８、３９は、図３の場合には、第１および第２の映像モニタ３６、３７の下部に設けられているが、その位置は、上部でも両側でもよい。
【００１５】
この結果、前述の第１および第２のビデオテープレコーダ４０、４１の操作部３３、３４および編集手段の操作部３５はベース部３１における倒伏状態の蓋体３２に対向する面に設けられたことになる。
【００１６】
この映像記録再生装置においては、各ビデオテープレコーダのサーチダイヤル（図３の円形の操作ダイヤル）を用いて、各映像モニタを見ながら、編集の開始点及び終了点（編集ポイント）を登録し、編集動作をおこなっていた。また、再生時には映像信号及び音声信号の両方が記録されているいないにかかわらず、表示手段３８、３９には、音声レベルを表示している。
【００１７】
【発明が解決しようとする課題】
この映像記録再生装置においては、映像信号及び音声信号の両方が記録されていない場合にも、音声レベルメータには、ゼロレベルを表示している。
【００１８】
しかし、映像信号と音声信号の両方がなくなると、次の編集ポイントを探す必要性が出てくるため、その時点でのテープ位置を知る必要が出てくる。
【００１９】
例えば、カセットテープを装着して再生したものの、映像信号と音声信号の両方がない場合、操作者は、テープ位置が解れば、テープ始端付近では、テープの後方に記録信号がある可能性が高いと判断してフォワード（早送り）方向に早送り再生し、逆に、テープ終端付近では、テープの前方に記録信号がある可能性が高いと判断してリバース（巻き戻し）方向に巻き戻し再生することができる。
【００２０】
したがって、この発明の目的は、再生時にテープ上の映像信号又は音声信号が共に記録されていない場合は、音声レベルメータ表示部にテープの位置表示をおこない、テープ位置の確認を容易にすると共に、編集の作業性向上を実現した映像記録再生装置を提供することである。
【００２１】
【課題を解決するための手段】
この課題を解決するために第１の発明は、音声信号と映像信号の再生レベルを検出するレベル検出部と、テープ位置を検出するテープ位置検出部と、表示部と、レベル検出部のレベル検出情報と、テープ位置検出部のテープ位置検出情報より表示部に表示する制御部とを有し、制御部は、再生時にテープ上の映像信号又は音声信号が記録されている場合は、表示部に音声のレベル表示をおこない、映像信号と音声信号が共に記録されていない場合は、表示部にテープの位置表示をおこなうように構成したものである。
【００２２】
これにより、テープ位置の確認を容易にすると共に、編集の作業性が向上する。
【００２３】
また、第２の発明は、第１の発明において、表示部でのテープ位置表示は、セグメント配列を利用し、１％単位で表示するよう構成したものであり、既存のセグメント配列をそのまま利用して、テープ位置の高い検出精度を表示することが可能となる。
【００２４】
【発明の実施の形態】
以下、本発明の実施の形態を図面を参照しながら説明する。
【００２５】
図１は本発明の一実施の形態の映像記録再生装置の構成を示すブロック図である。図１において、第１の入力端子１には、第１の入力映像信号及び音声信号が供給され、第２の入力端子２には、第２の入力映像信号及び音声信号が供給される。記録再生が可能なデジタル方式の第１のビデオテープレコーダ３は、第１の入力端子１から入力される入力映像信号及び音声信号を記録することができる。
【００２６】
また、記録再生が可能なデジタル方式の第２のビデオテープレコーダ４は、第１のビデオテープレコーダ３で再生した映像信号及び音声信号と第２の入力端子２から入力される入力映像信号及び音声信号との何れか一方を選択的に記録することができる。上記の第１及び第２のビデオテープレコーダ３、４は、１つの筐体に内蔵されていて、操作部５からの動作指令をシステムコントロールマイコン６で統括的に制御される。第１のビデオテープレコーダ３では、システムコントロールマイコン６から与えられる動作指令に従って磁気テープ走行系及び回転磁気ヘッドを含む第１のメカニズム１１を第１のメカニズム駆動及びテープ位置検出部１２が駆動する。第１のメカニズム１１より第１のメカニズム駆動及びテープ位置検出部１２に、リールパルスが出力され、これを元にテープ位置を検出し、システムコントロールマイコン６へテープ位置情報を送信する。
【００２７】
そして、第１の記録回路１３が第１のメカニズム１１に装着した磁気テープに第１の記録信号を与え、第１の再生回路１４が第１のメカニズム１１に装着した第１の磁気テープから第１の再生信号を取り出し、第１のレベル検出部１５で、その映像信号と音声信号のうち少なくとも１つが有ることを検出すること（再生信号の有無検出）と、音声信号のレベル検出をおこない、システムコントロールマイコン６へ再生信号有無情報と音声レベル情報を送信する。システムコントロールマイコン６は、第１の表示部１６の音声レベルメータに、映像信号と音声信号のうち少なくとも１つがある場合には、第１の音声レベルを表示し、映像信号と音声信号の両方がない場合には第１のテープ位置情報を表示する。
【００２８】
また、第２のビデオテープレコーダ４では、システムコントロールマイコン６から与えられる動作指令に従って磁気テープ走行系及び回転磁気ヘッドを含む第２のメカニズム２１を第２のメカニズム駆動及びテープ位置検出部２２が駆動する。第２のメカニズム２１より第２のメカニズム駆動及びテープ位置検出部２２に、リールパルスが出力され、これを元にテープ位置を検出し、システムコントロールマイコン６へテープ位置情報を送信する。
【００２９】
そして、第２の記録回路２３が第２のメカニズム２１に装着した磁気テープに第２の記録信号を与え、第２の再生回路２４が第２のメカニズム２１に装着した第２の磁気テープから第２の再生信号を取り出し、第２のレベル検出部２５で、その映像信号と音声信号のうち少なくとも１つが有ることを検出すること（再生信号の有無検出）と、音声信号のレベル検出をおこない、システムコントロールマイコン６へ再生信号有無情報と音声レベル情報を送信する。システムコントロールマイコン６は、第２の表示部２６の音声レベルメータに、第２の映像信号と音声信号のうち少なくとも１つがあるには第２の音声レベルを表示し、第２の映像信号と音声信号の両方がない場合には第２のテープ位置情報を表示する。
【００３０】
次に、この映像記録再生装置の使用形態について説明する。図２は、本発明の一実施形態の映像記録再生装置の表示部を示す概略図である。  図２（ａ）は、表示部を蛍光表示管で構成した概略図であり、図２（ｂ）は、図２（ａ）の蛍光表示管の一部である音声レベル表示部で音声レベル表示をしている概略図であり、図２（ｃ）は、図２（ａ）の蛍光表示管の一部である音声レベル表示部でテープ表示をしている概略図である。
【００３１】
操作者（オペレータ）が、第１及び第２の映像モニタ（図３の３６，３７、図１では図示せず）を見ながら、操作部５のサーチダイヤルを操作し、編集したい再生機側の第１のビデオテープレコーダ３のオリジナルテープの開始点及び終了点を登録し、記録再生側の第２のビデオテープレコーダ４のマスターテープの開始点を登録してから編集作業を開始する。登録する際に、第１及び第２のビデオテープレコーダ３，４を特殊再生モードで検索し、音声信号と映像信号の再生信号の有無と音声レベル検出をレベル検出部１５，２５で検出し、音声信号又は映像信号がある場合には、音声レベル情報を表示部１６，２６の音声レベルメータに、図２（ｂ）のように表示する。図２（ｂ）では、２チャンネルの音声レベルを表示しており、セグメントを横に２列に配し、上段をチャンネル１(CH1)の音声、下段をチャンネル２(CH2)の音声とし、音声レベルが上がるほど、点灯するセグメントが右から左へ増える構造になっている。
【００３２】
また、音声信号及び映像信号が共にない場合には、テープ位置情報を表示部１６,１７の音声レベルメータに、図２（ｃ）のように表示する。
【００３３】
図２（ｃ）は、音声レベルメータをテープ位置表示に用いており、テープ始端では図に示すように、４つのセグメントのみが点灯している。そして、上段が１０の位の％を表し、下段が１の位の％を表している。例えば５９％の位置の場合、上段が５つ点灯し、下段が９つ点灯している。
【００３４】
例えば、カセットテープを装着して、上記したように特殊再生モードで再生し、映像信号と音声信号の両方がない場合、操作者は、音声レベルメータに表示されるテープ位置を見て、テープ始端付近では、テープの後方に記録信号がある可能性が高いと判断してフォワード（早送り）方向に早送り再生する。逆に、テープ終端付近では、テープの前方に記録信号がある可能性が高いと判断してリバース（巻き戻し）方向に巻き戻し再生する。
【００３５】
また、特殊再生モードで再生し、映像信号と音声信号の両方がなく、一方向に早送り又は巻き戻し中に、なかなか再生信号が現れない場合、操作者は、テープの終端又は始端に近づいたことを、音声レベルメータに表示されるテープ位置を見て判断し、テープを排出して、別のテープと入れ替える。
【００３６】
このように本実施の形態によれば、再生信号がないため編集するための登録点が発見できない場合、テープ位置が表示されているため、そのテープ位置で検索方向を決めたり、又はテープを変更したりすることができるようになる。
【００３７】
また、本実施の形態では、音声レベルメータという１つの表示部分で、音声レベル表示が必要ない場合である再生信号がない場合を利用して、再生信号がない場合に必要な位置表示をするため、表示部分のスペースの有効利用ができる。
【００３８】
【発明の効果】
以上のように本発明によれば、再生時にテープ上の映像信号又は音声信号が記録されている場合は、表示部に音声のレベル表示をおこない、映像信号と音声信号が共に記録されていない場合は、表示部にテープの位置表示をおこなうことにより、テープ位置の確認を容易にすると共に、編集の作業性が向上する。
【図面の簡単な説明】
【図１】本発明の一実施の形態による映像記録再生装置を示す概略図
【図２】本発明の一実施の形態による映像記録再生装置の表示部を示す概略図
（ａ）蛍光表示管を示す図
（ｂ）音声レベル表示を示す図
（ｃ）テープ位置表示を示す図
【図３】従来の映像記録再生装置を示す概略図
【符号の説明】
１  第１の入力端子
２  第２の入力端子
３  第１のビデオテープレコーダ
４  第２のビデオテープレコーダ
５  操作部
６  システムコントロールマイコン
１１，２１  メカニズム
１２，２２  メカニズム駆動及びテープ位置検出部
１３，２３  記録回路
１４，２４  再生回路
１５，２５  レベル検出部
１６，２６  表示部
【図１】
0003635851.tif 000002
【図２】
0003635851.tif 000003
【図３】
0003635851.tif 000004